(57)【要約】【課題】回収水ライン又は排水ラインにおける水の凍結を防止し、水の回収又は排出を円滑に行うこと。【解決手段】燃料ガスと酸化剤ガスをスタック１により電気化学的に反応させて発電を行う燃料電池システムは、各凝縮器１１〜１３にて収集される水を回収するための回収水タンク１４と、各凝縮器１１〜１３から回収水タンク１４へ水を流す回収水ライン１５〜１７と、各回収水ライン１５〜１７を加熱する熱交換部２１〜２３と、回収水タンク１４から外部へ水を排出するための排水ライン１８と、排水ライン１８を加熱する熱交換部２４とを備える。各熱交換部２１〜２４は、熱回収ライン１９、排気ライン９及びカソードエアライン４を流れる媒体との間で熱交換を行う。【選択図】        図１
2005268085.tif 000002
【特許請求の範囲】
【請求項１】
水素を含む燃料ガスと酸素を含む酸化剤ガスを燃料電池により電気化学的に反応させて発電を行う燃料電池システムにおいて、
所定の構成機器にて収集される水を回収するための回収水タンクと、
前記構成機器から前記回収水タンクへ水を流すための回収水ラインと、
前記回収水ラインを加熱するための加熱手段と
を備えたことを特徴とする燃料電池システム。
【請求項２】
水素を含む燃料ガスと酸素を含む酸化剤ガスを燃料電池により電気化学的に反応させて発電を行う燃料電池システムにおいて、
所定の構成機器にて収集される水を回収するための回収水タンクと、
前記回収水タンクから外部へ水を排出するための排水ラインと、
前記排水ラインを加熱するための加熱手段と
を備えたことを特徴とする燃料電池システム。
【請求項３】
前記加熱手段は、システム内部で生じる熱を、媒体を介して流通させる熱流通部と、前記回収水ライン又は前記排水ラインと前記熱流通部との間で熱交換を行う熱交換部とを含むことを特徴とする請求項１又は２に記載の燃料電池システム。
【請求項４】
前記加熱手段は、前記回収水ライン又は前記排水ラインを加熱するための電気ヒータを含むことを特徴とする請求項１又は２に記載の燃料電池システム。
【請求項５】
水素を含む燃料ガスと酸素を含む酸化剤ガスを燃料電池により電気化学的に反応させて発電を行う燃料電池システムにおいて、
所定の構成機器間に水を流通させる水流通部と、
システム内部で生じた熱を媒体を介して流通させる熱流通部と、
前記水流通部と前記熱流通部との間で熱交換を行う熱交換部と
を備えたことを特徴とする燃料電池システム。
【請求項６】
二重配管構造の内周部を前記水流通部とし、前記二重配管構造の外周部を前記熱流通部としたことを特徴とする請求項５に記載の燃料電池システム。
【発明の詳細な説明】
【技術分野】
【０００１】
この発明は、燃料ガスと酸化剤ガスを燃料電池に供給して電気化学的に反応させることにより発電を行う燃料電池システムに関する。
【背景技術】
【０００２】
従来、この種の燃料電池システムでは、燃料ガス中に含まれる水蒸気の凝縮水や発電時の生成水などの水をシステム内の各所で回収するように構成される。この回収水は、再び改質反応に用いられるために、回収水タンクに蓄えられ、余った水は外部へ排出される。
【０００３】
ここで、外気温度が氷点下となる場合には、水が回収される際、あるいは水が外部へ排出される際に、配管部などで水が凍結してしまうおそれがある。水が凍結してしまうと、システムが停止状態から起動できなくなるおそれがある。また、システム運転途中で水が凍結してしまうと、水が適切に排出されなくなり、配管内に水が溜まり、燃料ガスの流れが阻害されるなどしてシステムの運転が継続できなくなるおそれがある。
【０００４】
そこで、下記の特許文献１に記載の燃料電池装置では、運転終了後に、燃料電池装置内の水をサブタンクに回収する構成が記載されている。また、下記の特許文献２に記載の燃料電池システムでは、運転時に水回収タンクに回収した水を、システム停止時にすべて外部へ排出する構成が記載される。
【特許文献１】特開平１１−２７３７０５号公報（第２−４頁、図２，３）
【特許文献２】特開２０００−２１４３０号公報（第２−５頁、図１）
【発明の開示】
【発明が解決しようとする課題】
【０００５】
ところが、上記した特許文献１及び２に記載の技術では、回収水用の配管内部、外部への排水口部分に水が残留していた場合、その残留水が凍結してしまうおそれがある。このように配管内部や排水口部分の水が凍結してしまうと、システムからの水の排出が十分できず、次の起動時にシステムに不具合を引き起こすおそれがある。
【０００６】
この発明は上記事情に鑑みてなされたものであって、その目的は、回収水ライン又は排水ラインにおける水の凍結を防止し、水の回収又は排出を円滑に行うことを可能とした燃料電池システムを提供することにある。また、この発明の他の目的は、システム内部で生じる熱を利用することにより、水流通部における水の凍結を防止し、水流通部における水の流通を円滑に行うことを可能とした燃料電池システムを提供することにある。
【課題を解決するための手段】
【０００７】
上記目的を達成するために、請求項１に記載の発明は、水素を含む燃料ガスと酸素を含む酸化剤ガスを燃料電池により電気化学的に反応させて発電を行う燃料電池システムにおいて、所定の構成機器にて収集される水を回収するための回収水タンクと、構成機器から回収水タンクへ水を流すための回収水ラインと、回収水ラインを加熱するための加熱手段とを備えたことを趣旨とする。
【０００８】
上記発明の構成によれば、所定の構成機器にて収集され、回収水タンクへ向けて回収水ラインを流れる水が加熱手段の熱により加熱される。
【０００９】
上記目的を達成するために、請求項２に記載の発明は、水素を含む燃料ガスと酸素を含む酸化剤ガスを燃料電池により電気化学的に反応させて発電を行う燃料電池システムにおいて、所定の構成機器にて収集される水を回収するための回収水タンクと、回収水タンクから外部へ水を排出するための排水ラインと、排水ラインを加熱するための加熱手段とを備えたことを趣旨とする。
【００１０】
上記発明の構成によれば、回収水タンクにて回収され外部へ向けて排水ラインを流れる水が加熱手段の熱により加熱される。
【００１１】
上記目的を達成するために、請求項３に記載の発明は、請求項１又は２に記載の発明において、加熱手段は、システム内部で生じる熱を、媒体を介して流通させる熱流通部と、回収水ライン又は排水ラインと熱流通部との間で熱交換を行う熱交換部とを含むことを趣旨とする。
【００１２】
上記発明の構成によれば、請求項１又は２に記載の発明の作用に加え、システム内部で生じる熱を利用して回収水ライン又は排水ラインが加熱される。
【００１３】
上記目的を達成するために、請求項４に記載の発明は、請求項１又は２に記載の発明において、加熱手段は、回収水ライン又は排水ラインを加熱するための電気ヒータを含むことを趣旨とする。
【００１４】
上記発明の構成によれば、請求項１又は２に記載の発明の作用に加え、システムの運転中・停止中にかかわらず、回収水ライン又は排水ラインを電気ヒータで加熱することが可能である。
【００１５】
上記目的を達成するために、請求項５に記載の発明は、水素を含む燃料ガスと酸素を含む酸化剤ガスを燃料電池により電気化学的に反応させて発電を行う燃料電池システムにおいて、所定の構成機器間に水を流通させる水流通部と、システム内部で生じた熱を媒体を介して流通させる熱流通部と、水流通部と熱流通部との間で熱交換を行う熱交換部とを備えたことを趣旨とする。
【００１６】
上記発明の構成によれば、所定の構成機器間にて水流通部を流れる水が、熱交換部にて、熱流通部を流れる媒体の熱（システム内部で生じる熱）を利用して加熱される。
【００１７】
上記目的を達成するために、請求項６に記載の発明は、請求項５に記載の発明において、二重配管構造の内周部を水流通部とし、二重配管構造の外周部を熱流通部としたことを趣旨とする。
【００１８】
上記発明の構成によれば、請求項５に記載の発明の作用に加え、水流通部と熱流通部との接触部分が二重配管構造をなすので、その部分がコンパクトとなる。
【発明の効果】
【００１９】
請求項１に記載の発明によれば、回収水ラインにおける水の凍結を防止することができ、回収水タンクへの水の回収を円滑に行うことができる。
【００２０】
請求項２に記載の発明によれば、排水ラインにおける水の凍結を防止することができ、回収水タンクからの水の排出を円滑に行うことができる。
【００２１】
請求項３に記載の発明によれば、請求項１又は２に記載の発明の効果に加え、回収水ライン又は排水ラインを特別なヒータで加熱するものと比較して、システムで消費するエネルギーを節約することができる。
【００２２】
請求項４に記載の発明によれば、請求項１又は２に記載の発明の効果に加え、加熱が必要になるときだけ電気ヒータを作動させて、回収水又は排水の凍結を防止することができる。
【００２３】
請求項５に記載の発明によれば、システム内部で生じる熱を利用することにより、水流通部における水の凍結を防止することができ、水流通部における水の流通を円滑に行うことができる。また、水流通部を特別なヒータで加熱するものと比較して、システムで消費するエネルギーを節約することができる。
【００２４】
請求項６に記載の発明によれば、請求項５に記載の発明の効果に加え、水流通部と熱流通部との接触部分がコンパクトとなり、燃料電池システムの小型化に寄与することができる。
【発明を実施するための最良の形態】
【００２５】
［第１実施形態］
以下、本発明の燃料電池システムを具体化した第１実施形態を、図面を参照して詳細に説明する。
【００２６】
図１に燃料電池システムの概略構成図を示す。この燃料電池システムは、燃料電池（スタック）１と、そのスタック１に改質器２から水素を含む燃料ガスとしての改質ガスを供給する改質ガスライン３と、スタック１に酸素を含む酸化剤ガス（カソードエア）を供給するカソードエアライン４と、改質器２に改質水を供給する改質水ライン５と、改質器２に改質原料（天然ガス等）を供給する原料ガスライン６とを基本構成として備える。スタック１を通ったカソードエアは、排気として排出される。改質ガスライン３は、スタック１を経由する第１改質ガスライン３ａと、スタック１を経由しない第２改質ガスライン３ｂとに分岐する。第１及び第２の改質ガスライン３ａ，３ｂは、スタック１の下流側にて再び合流する。
【００２７】
スタック１は、水素イオンを選択的に輸送する高分子電解質膜と、その電解質膜の両面に設けられた一対の電極であるアノード及びカソードとを備える。そして、スタック１は、改質ガスとカソードエアの供給を受け、これらのガスを電気化学的に反応させることにより、発電と発熱を行うようになっている。
【００２８】
改質器２は、原料ガスと改質水の供給を受けて改質ガスを生成し、そのガスを改質ガスライン３へ導出する。改質器２は、暖機用の燃焼部７を備える。燃焼部７には、燃焼原料（天然ガス等）と、第１及び第２の改質ガスライン３ａ，３ｂを経由した改質ガスが燃料ガスとして供給される。また、燃焼部７には、燃焼エアが供給される。
【００２９】
スタック１より上流側の第１改質ガスライン３ａには、第１凝縮器１１が設けられる。第１及び第２の改質ガスライン３ａ，３ｂの合流部より下流側には、第２凝縮器１２が設けられる。スタック１より下流側のカソードエアライン４には、第３凝縮器１３が設けられる。これら凝縮器１１〜１３は、そこを通過するガスの水分を除去し、その水分を収集する機能を有し、本発明の所定の構成機器に相当する。この燃料電池システムは、各凝縮器１１〜１３にて収集される水を回収するための回収水タンク１４を備える。また、第１凝縮器１１から回収水タンク１４へ水を流すための第１回収水ライン１５、第２凝縮器１２から回収水タンク１４へ水を流すための第２回収水ライン１６、第３凝縮器１３から回収水タンク１４へ水を流すための第３回収水ライン１７がそれぞれ設けられる。回収水タンク１４には、同タンク１４から外部へ水を排出するための排水ライン１８が設けられる。
【００３０】
上記した改質水ライン５には、回収水タンク１４に回収された水が、図示しない水精製器を通過した後、改質水として供給される。改質水ライン５には、蒸発部８が設けられる。この蒸発部８は、改質器２に供給される改質水を蒸発させるためのものである。この蒸発部８は、改質器２の燃焼部７から排気ライン９を通じて排出される排気を流すことで加熱される。改質水ライン５に原料ガスライン６が合流する。この合流により、改質水蒸気と原料ガスとが混合され、改質ガスを生成するための原料として改質器２に供給される。
【００３１】
この燃料電池システムは、熱回収ライン１９を備える。熱回収ライン１９は、スタック１で発電時に発生した熱を回収するためのものであり、貯湯タンク（図示略）との間で熱交換を行うようになっている。熱回収ライン１９には、媒体である水を循環させるためのポンプ２０が設けられる。
【００３２】
この実施形態で、熱回収ライン１９は、システム内部（スタック１の内部）で生じる熱を媒体である水を介して流通させる本発明の熱流通部に相当する。この熱回収ライン１９には、システムの起動中、停止中にかかわらず温水が流れる。そして、第１回収水ライン１５には、このライン１５と熱回収ライン１９との間で熱交換を行う第１熱交換部２１が設けられる。熱回収ライン１９と第１熱交換部２１とにより、第１回収水ライン１５を加熱するための本発明の加熱手段が構成される。
【００３３】
この実施形態で、排気ライン９は、システム内部（燃焼部７の内部）で生じる熱を媒体である排気を介して流通させる本発明の熱流通部に相当する。この排気ライン１８には、システムの起動中に排気が流れる。そして、第２回収水ライン１６には、このライン１６と排気ライン９との間で熱交換を行う第２熱交換部２２が設けられる。排気ライン９と第２熱交換部２２とにより、第２回収水ライン１６を加熱するための発明の加熱手段が構成される。
【００３４】
この実施形態で、スタック１より下流側のカソードエアライン４は、システム内部（スタック１の内部）で生じる熱を媒体であるカソードエアを介して流通させる本発明の熱流通部に相当する。このカソードエアライン４には、スタック１の起動中、発電中にカソードエアが流れる。そして、第３回収水ライン１７には、このライン１７とカソードライン４との間で熱交換を行う第３熱交換部２３が設けられる。カソードエアライン４と第３熱交換部２３とにより、第３回収水ライン１７を加熱するための本発明の加熱手段が構成される。
【００３５】
この実施形態で、排水ライン１８には、このライン１８と排気ライン９との間で熱交換を行う第４熱交換部２４が設けられる。排気ライン９と第４熱交換部２４とにより、排水ライン１８を加熱するための発明の加熱手段が構成される。
【００３６】
ここで、第１乃至第４の熱交換部２１〜２４の構成について説明する。図２に、第１熱交換部２１の正面図を示す。図３に、図２のＡ−Ａ線断面図を示す。この熱交換部２１は、二重配管構造をなし、その内周部としての第１回収水ライン１５と、その回収水ライン１５を内包する外周部として円筒ケース２５とを含む。円筒ケース２５の上底及び下底はそれぞれ閉塞する。円筒ケース２５の上部及び下部には、それぞれポート２６，２７が設けられる。これらポート２６，２７には、熱回収ライン１９が接続され、円筒ケース２５の中をその上部から下部へ向けて熱回収ライン１９の温水が流れるようになっている。ここで、第１回収水ライン１５が、本発明の水流通部に相当し、円筒ケース２５及び熱回収ライン１９が、本発明の熱流通部に相当する。第２乃至第４の熱交換部２２〜２４についても、上記と同等の構成である。各熱交換部２１〜２４において、円筒ケース２５の中を熱を持った媒体（水又はガス）が流れることで、円筒ケース２５に内包される各ライン１５〜１８が加熱されることになる。
【００３７】
以上説明したこの実施形態の燃料電池システムによれば、各凝縮器１１〜１３で収集され、回収水タンク１４へ向けて各回収水ライン１５〜１７を流れる水が各熱交換部２１〜２３を流れる媒体の熱により加熱される。このため、各回収水ライン１５〜１７における水の凍結を防止することができ、各回収水ライン１５〜１７を通じての回収水タンク１４に対する水の回収を円滑に行うことができる。また、この実施形態では、回収水タンク１４にて回収され外部へ向けて排水ライン１８を流れる水が第４熱交換部２４の熱により加熱される。このため、排水ライン１４における水の凍結を防止することができ、排水ライン１８を通じての回収水タンク１４から外部への排水を円滑に行うことができる。つまり、この実施形態では、燃料電池システムにおける所定の構成機器間にて、水流通部としての各回収水ライン１５〜１７及び排水ライン１８を流れる水が、各熱交換部２１〜２４にて、熱流通部としての熱回収ライン１９、排気ライン９及びカソードエアライン４を流れる媒体（水、ガス）が持つ熱により加熱される。このため、システム内部で生じる熱を利用して、各回収水ライン１５〜１７及び排水ライン１８を流れる水の凍結を防止することができ、それらライン１５〜１８における水の流通を円滑に行うことができる。これにより、この燃料電池システムでは、回収水タンク１４に対する水の回収も、回収水タンク１４からの排水も円滑に行えることで、次の起動時にシステムを円滑に起動させることができる。
【００３８】
この実施形態では、システム内部で生じる熱を、媒体を介して流通させる熱回収ライン１９、排気ライン９及びカソードエアライン４と、対応する回収水ライン１５〜１７及び排水ライン１８との間で熱交換させる熱交換部２１〜２４が設けられる。従って、システム内部で生じる熱を利用して、各回収水ライン１５〜１７及び排水ライン１８が加熱される。このため、各回収水ライン１５〜１７及び排水ライン１８を特別なヒータで加熱するものと比較して、システムで消費するエネルギーを節約することができる。
【００３９】
また、この実施形態では、各熱交換部２１〜２４にて、各回収水ライン１５〜１７及び排水ライン１８と、熱回収ライン１９、排気ライン９及びカソードエアライン４との接触部分が二重配管構造をなすので、その部分がコンパクトになる。このため、燃料電池システムの小型化に寄与することができる。
【００４０】
［第２実施形態］
次に、本発明の燃料電池システムを具体化した第２実施形態を、図面を参照して詳細に説明する。
【００４１】
尚、この実施形態において、前記第１実施形態と同じ構成要素については同一の符号を付して説明を省略し、以下には異なった点を中心に説明する。
【００４２】
この実施形態の燃料電池システムは、第１実施形態において、第１乃至第３の回収水ライン１５〜１７及び排水ライン１８のそれぞれに設けられる第１乃至第４の熱交換部２１〜２４に代わり、第１乃至第３の回収水ライン１５〜１７及び排水ライン１８のそれぞれに、第１乃至第４の加熱部３１，３２，３３，３４が設けられる点で第１実施形態と構成が異なる。
【００４３】
ここで、第１乃至第４の加熱部３１〜３４の構成について説明する。図５に、第１の加熱部３１の正面図を示す。図６に、図５のＢ−Ｂ線断面図を示す。この加熱部３１は、第１回収水ライン１５を内包する電気ヒータ３５と、その電気ヒータ３５を内包する断熱材３６とを含む。電気ヒータ３５は、例えば、ラバーヒータ、フレキシブルヒータ及びヒーティングケーブルにより構成される。断熱材３６は、例えば、ガラス繊維等により構成される。電気ヒータ３５に通電することにより、同ヒータ３５が発熱するようになっている。第２乃至第４の加熱部３２〜３４についても、上記と同等の構成である。電気ヒータ３５は、本発明の加熱手段に相当する。
【００４４】
図７に、各加熱部３１〜３４に関わる電気的構成を概念図により示す。図７では、便宜上、第１乃至第４の加熱部３１〜３４に設けられる電気ヒータを、それぞれ第１電気ヒータ３５Ａ、第２電気ヒータ３５Ｂ、第３電気ヒータ３５Ｃ及び第４電気ヒータ３５Ｄと称する。
【００４５】
この実施形態では、各電気ヒータ３５〜３５Ｄを制御するためのコントローラ３７が設けられる。各電気ヒータ３５Ａ〜３５Ｄはコントローラ３７に接続される。また、この実施形態では、外気温度Ｔａを検出するための外気温度センサ３８が設けられる。このセンサ３８もコントローラ３７に接続される。コントローラ３７は、外気温度センサ３８の検出値に基づき各電機ヒータ３５Ａ〜３５Ｄを通電制御するようになっている。
【００４６】
また、この実施形態では、図８（ａ），（ｂ）に示すように、排水ライン１８の内径Ｄ１が、従前の排水ライン４８の内径Ｄ２よりも大きく設定される。これは、図８（ａ）に示すように、従前の排水ライン４８の内径Ｄ２が小さいと、表面張力により水溜まりが発生しやすいところ、図８（ｂ）に示すように、排水ライン１８の内径Ｄ１を広げることで、表面張力による水溜まりを防止するようにしたものである。
【００４７】
次に、コントローラ３７が実行する各電気ヒータ３５Ａ〜３５Ｄの制御プログラムを、図９に示すフローチャートを参照して説明する。
【００４８】
ステップ１００で、コントローラ３７は、外気温度センサ３８により検出される外気温度Ｔａを読み込む。
【００４９】
次に、ステップ１１０で、コントローラ３７は、読み込まれた外気温度Ｔａが所定の設定値Ｔ０より低いか否かを判断する。この設定値Ｔ０を、例えば、「０℃」とすることができる。この判断が否定である場合、コントローラ３７は、処理をステップ１００へ移行する。この判断結果が肯定である場合、コントローラ３７は、ステップ１２０で、電気ヒータ３５Ａ〜３５ＤをＯＮすることにより、対応する回収水ライン１５〜１７及び排水ライン１８を加熱する。
【００５０】
次に、ステップ１３０で、コントローラ３７は、再び外気温度センサ３８により検出される外気温度Ｔａを読み込む。
【００５１】
そして、ステップ１４０で、コントローラ３７は、読み込まれた外気温度Ｔａが所定の設定値Ｔ０以上に高いか否かを判断する。この判断が否定である場合、コントローラ３７は、ステップ１２０の処理へ戻る。この判断結果が肯定である場合、コントローラ３７は、ステップ１５０で、電気ヒータ３５Ａ〜３５ＤをＯＦＦにし、ステップ１００の処理へ戻る。
【００５２】
すなわち、上記制御プログラムでは、外気温度Ｔａが設定値Ｔ０より下がると、各電気ヒータ３５Ａ〜３５ＤがＯＮして、対応する回収水ライン１５〜１７を加熱するのである。
【００５３】
従って、この実施形態でも、第１の実施形態と基本的に同様の作用効果を得ることができる。その他、この実施形態では、各回収水ライン１５〜１７及び排水ライン１８を加熱するための各加熱部３１〜３４に電気ヒータ３５が設けられる。従って、システムの運転中・停止中にかかわらず、外気温度Ｔａが設定値Ｔ０より低いときは、各回収水ライン１５〜１７及び排水ライン１８を電気ヒータ３５により加熱することが可能である。このため、水が凍りそうになる低温時にのみ、すなわち、加熱が必要になるときだけ電気ヒータ３５を作動させて、回収水及び排水の凍結を防止することができる。
【００５４】
更に、この実施形態では、電気ヒータ３５の周囲を断熱材３６で覆っているので、電気ヒータ３５の熱放散を防止することができ、より有効に各回収水ライン１５〜１７及び排水ライン１８を加熱することができ、エネルギーの節約にも寄与する。
【００５５】
尚、この発明は前記各実施形態に限定されるものではなく、発明の趣旨を逸脱することのない範囲で以下のように実施することもができる。
【００５６】
（１）前記第１実施形態において、各熱交換部２１〜２４の円筒ケース３０の周囲を断熱材で覆ってもよい。
【００５７】
（２）前記第２実施形態において、電気ヒータ３５を覆う断熱材３６を省略してもよい。
【００５８】
（３）前記第１実施形態では、各水回収ライン１５〜１７及び排水ライン１８に対応して各熱交換部２１〜２４を設けたが、回収水ライン及び排水ライン以外の水流通部に熱交換部を設けてもよい。この場合も、回収水ライン及び排水ライン以外の水流通部を、システム内部で生じる熱を利用して加熱することができる。
【図面の簡単な説明】
【００５９】
【図１】第１実施形態に係り、燃料電池システムを示す概略構成図。
【図２】第１熱交換部を示す正面図。
【図３】図２のＡ−Ａ線断面図。
【図４】第２実施形態に係り、燃料電池システムを示す概略構成図。
【図５】第１加熱部を示す正面図。
【図６】図５のＢ−Ｂ線断面図。
【図７】主要部の電気的構成を示す概念図。
【図８】排水ラインの違いを示す対比図。
【図９】制御プログラムを示すフローチャート。
【符号の説明】
【００６０】
１      スタック
４      カソードエアライン（熱流通部）
９      排気ライン（熱流通部）
１１    第１凝縮器（構成機器）
１２    第２凝縮器（構成機器）
１３    第３凝縮器（構成機器）
１４    回収水タンク
１５    第１回収水ライン（水流通部）
１６    第２回収水ライン（水流通部）
１７    第３回収水ライン（水流通部）
１８    排水ライン（水流通部）
１９    熱回収ライン（熱流通部）
２１    第１熱交換部
２２    第２熱交換部
２３    第３熱交換部
２４    第４熱交換部
３５    電気ヒータ
３５Ａ  第１電気ヒータ
３５Ｂ  第２電気ヒータ
３５Ｃ  第３電気ヒータ
３５Ｄ  第４電気ヒータ
【図１】
2005268085.tif 000003
【図２】
2005268085.tif 000004
【図３】
2005268085.tif 000005
【図４】
2005268085.tif 000006
【図５】
2005268085.tif 000007
【図６】
2005268085.tif 000008
【図７】
2005268085.tif 000009
【図８】
2005268085.tif 000010
【図９】
2005268085.tif 000011